(57)【特許請求の範囲】
【請求項１】
原稿を載置する原稿台と、
前記原稿台に対して開閉可能に設けられた原稿圧板と、
前記原稿圧板の開閉を検知する開閉検知手段と、
前記原稿台に載置された原稿の大きさを検知する原稿サイズ検知手段と、
前記原稿サイズ検知手段の検知結果を記憶する記憶部と、
前記開閉検知手段で前記原稿圧板の閉を検知すると前記原稿サイズ検知手段への給電を開始し、前記原稿サイズ検知手段の検知結果を前記記憶部に記憶すると前記原稿サイズ検知手段への給電を停止する制御部と、
を有し、
前記開閉検知手段は、前記原稿サイズ検知手段が配置された位置における原稿台と原稿圧板との距離が所定の距離になったとき、前記原稿圧板の閉を検知し、
前記原稿サイズ検知手段が、複数の原稿サイズ検知手段で構成されている場合、
前記開閉検知手段は、前記原稿圧板の回転軸との距離が最短となる前記原稿サイズ検知手段が配置された位置において、原稿台と原稿圧板との距離が所定の距離になったとき、前記原稿圧板の閉を検知することを特徴とする原稿サイズ検知装置。
【請求項２】
請求項１に記載の原稿サイズ検知装置において、
前記所定の距離は、前記原稿サイズ検知手段が原稿台に載置された原稿を検知することができる前記原稿台と前記原稿圧板との最短距離と、前記原稿サイズ検知手段への給電を開始してから前記原稿サイズ検知手段の検知結果を前記記憶部に記憶するまでの間に、前記原稿圧板が使用者の操作により移動可能な距離との合計距離であることを特徴とする原稿サイズ検知装置。
【請求項３】
請求項１または請求項２に記載の原稿サイズ検知装置において、
前記制御部は、前記原稿サイズ検知手段への給電を開始し、前記原稿サイズ検知手段が起動した後、前記原稿サイズ検知手段の検知結果を前記記憶部に記憶することを特徴とする原稿サイズ検知装置。
【請求項４】
請求項１から請求項３のいずれかに記載の原稿サイズ検知装置において、
前記制御部は、前記記憶部から前記原稿サイズ検知手段の検知結果を記憶が完了した旨の通知を受けた後、前記原稿サイズ検知手段への給電を停止することを特徴とする原稿サイズ検知装置。
【請求項５】
請求項１から請求項４のいずれかに記載の原稿サイズ検知装置を有することを特徴とする画像読取装置。
【発明の詳細な説明】
【技術分野】
【０００１】
本発明は、読取る原稿のサイズを検知する原稿サイズ検知装置および画像読取装置に関する。
【背景技術】
【０００２】
従来の原稿サイズ検知装置は、光学センサの状態により原稿を押さえる原稿圧板の開角度を２段階で検知し、第１段階の開角度を検知すると原稿サイズ検知センサの電源をオンし、第１段階の開角度より低い第２段階の開角度を検知すると原稿サイズ検知センサの出力結果に基づき原稿のサイズを判別するようにしている（例えば、特許文献１参照）。
【先行技術文献】
【特許文献】
【０００３】
【特許文献１】特開２００４−２５８３８６号公報
【発明の概要】
【発明が解決しようとする課題】
【０００４】
しかしながら、従来の技術においては、原稿を押さえる原稿圧板の第１段階の開角度の状態が続いた場合、原稿サイズ検知センサの電源をオンした状態が続き、無駄な電力を消費してしまうという問題がある。
本発明は、このような問題を解決することを課題とし、原稿サイズ検知センサによる電力の消費を抑制することを目的とする。
【課題を解決するための手段】
【０００５】
そのため、本発明は、原稿を載置する原稿台と、前記原稿台に対して開閉可能に設けられた原稿圧板と、前記原稿圧板の開閉を検知する開閉検知手段と、前記原稿台に載置された原稿の大きさを検知する原稿サイズ検知手段と、前記原稿サイズ検知手段の検知結果を記憶する記憶部と、前記開閉検知手段で前記原稿圧板の閉を検知すると前記原稿サイズ検知手段への給電を開始し、前記原稿サイズ検知手段の検知結果を前記記憶部に記憶すると前記原稿サイズ検知手段への給電を停止する制御部と、を有し、前記開閉検知手段は、前記原稿サイズ検知手段が配置された位置における原稿台と原稿圧板との距離が所定の距離になったとき、前記原稿圧板の閉を検知し、前記原稿サイズ検知手段が、複数の原稿サイズ検知手段で構成されている場合、前記開閉検知手段は、前記原稿圧板の回転軸との距離が最短となる前記原稿サイズ検知手段が配置された位置において、原稿台と原稿圧板との距離が所定の距離になったとき、前記原稿圧板の閉を検知することを特徴とする。
【発明の効果】
【０００６】
このようにした本発明は、原稿サイズ検知センサによる電力の消費を抑制することができるという効果が得られる。
【図面の簡単な説明】
【０００７】
【図１】実施例における原稿サイズ検知装置の制御構成を示すブロック図
【図２】実施例における画像読取装置の構成を示す概略側断面図
【図３】実施例における画像読取装置の構成を示す概略平面図
【図４】実施例における原稿サイズ検知処理の流れを示すフローチャート
【図５】実施例における原稿サイズ検知センサの電源制御のタイムチャート
【図６】実施例における原稿サイズ判定の説明図
【図７】実施例における原稿サイズ判定表の説明図
【図８】実施例におけるＡ４Ｒ原稿サイズ判定の説明図
【発明を実施するための形態】
【０００８】
以下、図面を参照して本発明による原稿サイズ検知装置および画像読取装置の実施例を説明する。
【実施例】
【０００９】
図２は実施例における画像読取装置の構成を示す概略側断面図、図３は実施例における画像読取装置の構成を示す概略平面図である。なお、図３は、原稿を載置する原稿台を上方から見た平面図である。
図２および図３において、画像読取装置１００は、読取る原稿のサイズ（大きさ）を検知する原稿サイズ検知装置を有するものであり、例えば画像読み取り機能を有するスキャナ装置である。画像読取装置１００は、原稿台１０２と、画像読取センサ１０３と、原稿圧板１０４と、センサフラグ１０５、１１３と、開閉センサ１０６、１１２と、筐体１０７と、原稿台サイズラベル１０８と、原稿合わせマーク１０９と、原稿サイズ検知センサ１１０、１１１とを有している。
【００１０】
原稿台１０２は、画像読取り対象としての原稿１０１を載置する透明ガラスからなるものである。なお、本実施例では、原稿台１０２は、最大サイズの原稿１０１としてＡ３サイズの原稿１０１が載置できる大きさを有しているものとする。
画像読取センサ１０３は、原稿台１０２に載置された原稿１０１に光を照射し、その反射光をＣＣＤ（Ｃｈａｒｇｅ  Ｃｏｕｐｌｅｄ  Ｄｅｖｉｃｅ）センサ等で読取り、画像データを生成するものである。この画像読取センサ１０３は、副走査方向に移動可能に構成され、副走査方向に移動しながら原稿を読み取る。
【００１１】
原稿圧板１０４は、原稿台１０２に対して開閉可能に設けられ、原稿台１０２に載置された原稿１０１を原稿台１０２の原稿載置面に押し付けるものである。原稿圧板１０４は、画像読取装置１００の奥側に設けられた回転軸１０４ａを回転支点として回動可能に設けられ、利用者が操作する画像読取装置１００の前面側が自由端となっている。
【００１２】
したがって、利用者の操作により、原稿圧板１０４の画像読取装置１００の前面側を上方に回動させて原稿台１０２の原稿載置面を開放させることにより、原稿台１０２に原稿１０１を載置することができるようになっている。また、原稿台１０２に載置した原稿１０１を画像読取センサ１０３で読み取るときは原稿１０１を原稿台１０２に押し付けるとともに外乱光の進入を防ぐため、原稿圧板１０４の画像読取装置１００の前面側を下方に回動させて原稿台１０２の原稿載置面を閉塞させる。
【００１３】
センサフラグ１０５は、原稿圧板１０４の回転支点である回転軸１０４ａ側の画像読取装置１００の奥側に摺動可能に配置され、回動する原稿圧板１０４に当接して移動するものである。また、センサフラグ１０５は、バネ等の付勢手段により原稿圧板１０４側に付勢されている。したがって、原稿圧板１０４の画像読取装置１００の前面側を下方に回動させると、センサフラグ１０５は当接する原稿圧板１０４によって図中矢印Ａが示す方向に押し込まれて移動し、また原稿圧板１０４の画像読取装置１００の前面側を上方に回動させると、付勢手段によって図中矢印Ｂが示す方向に移動する。
【００１４】
センサフラグ１１３は、原稿圧板１０４の回転支点である回転軸１０４ａと反対側の画像読取装置１００の前面側に摺動可能に配置され、回動する原稿圧板１０４に当接して移動するものである。また、センサフラグ１１３は、バネ等の付勢手段により原稿圧板１０４側に付勢されている。したがって、センサフラグ１１３は、原稿圧板１０４の画像読取装置１００の前面側を下方に回動させると、当接する原稿圧板１０４によって図中矢印Ａが示す方向に押し込まれて移動し、また原稿圧板１０４の画像読取装置１００の前面側を上方に回動させると、付勢手段によって図中矢印Ｂが示す方向に移動する。
【００１５】
第１の開閉検知手段としての開閉センサ１０６は、原稿圧板１０４の開状態および閉状態を検知するものである。この開閉センサ１０６は、光学センサ等で構成され、移動するセンサフラグ１０５を検知して、原稿圧板１０４の開状態および閉状態を検出する。
第２の開閉検知手段としての開閉センサ１１２は、原稿圧板１０４の開状態および閉状態を検知するものである。この開閉センサ１１２は、光学センサ等で構成され、移動するセンサフラグ１１３を検知して、原稿圧板１０４が原稿台１０２に接触した閉状態か否かを検出する。
【００１６】
原稿台サイズラベル１０８は、原稿台１０２の外周部に設けられ、原稿合わせマーク１０９に合わせて載置された原稿１０１の大きさを表す原稿サイズ（Ｂ６、Ａ５、Ｂ５、Ａ４、Ｂ５Ｒ、Ａ４Ｒ、Ｂ４Ｒ、Ａ３等）が記入されたものである。なお、Ｂ６、Ａ５、Ｂ５、Ａ４は、それぞれのサイズの原稿の長手方向を主走査方向、短手方向を副走査方向として原稿台１０２に載置した場合の表記であり、またＢ５Ｒ、Ａ４Ｒ、Ｂ４Ｒは、Ｂ５、Ａ４、Ｂ４のそれぞれのサイズの原稿の長手方向を副走査方向、短手方向を主走査方向として原稿台１０２に載置した場合の表記である。なお、Ａ３は、原稿の長手方向を副走査方向、短手方向を主走査方向として原稿台１０２に載置した場合の表記である。
【００１７】
原稿合わせマーク１０９は、原稿台１０２に載置する原稿の一頂点を合わせるためのものである。利用者は、原稿１０１の一頂点を原稿合わせマーク１０９に合わせて原稿１０１を原稿台１０２に載置するものとする。なお、図３において、２辺の破線で表される領域は、原稿合わせマーク１０９に合わせて原稿台１０２に載置した原稿のサイズ（Ｂ６、Ａ５、Ｂ５、Ａ４、Ｂ５Ｒ、Ａ４Ｒ、Ｂ４Ｒ）に対応する領域を表している。
【００１８】
原稿サイズ検知手段としての原稿サイズ検知センサ１１０および原稿サイズ検知センサ１１１は、一頂点を原稿合わせマーク１０９に合わせて原稿台１０２に載置された原稿１０１のサイズ（大きさ）を検知するセンサである。原稿サイズ検知センサ１１０および原稿サイズ検知センサ１１１は、例えば反射式の光学センサであり、発光素子から発せられた光を原稿１０１に照射し、その反射光を受光素子で受光して原稿１０１の大きさを検知する。
【００１９】
原稿サイズ検知センサ１１０は、図３に示すように、副走査方向おいて破線で表されるＡ４の原稿サイズの領域の外側、かつＢ５Ｒの原稿サイズの領域の内側に配置されている。原稿サイズ検知センサ１１０は、Ｂ６、Ａ５、Ｂ５、Ａ４サイズの原稿１０１が、長手方向を主走査方向、短手方向を副走査方向として原稿台１０２に載置されているか、Ｂ５、Ａ４、Ｂ４、Ａ３サイズの原稿１０１が、長手方向を副走査方向、短手方向を主走査方向とし原稿台１０２に載置されているかを検知する。
【００２０】
原稿サイズ検知センサ１１１は、図３に示すように、破線で表されるＡ４Ｒの原稿サイズの領域の外側、かつＢ４Ｒの原稿サイズの領域の内側に配置されている。原稿サイズ検知センサ１１１は、レターサイズの原稿１０１やリーガルサイズの原稿１０１を検知するために使用される。
【００２１】
本実施例では、主走査方向において、原稿サイズ検知センサ１１１と原稿合わせマーク１０９との距離は、原稿サイズ検知センサ１１０と原稿合わせマーク１０９との距離よりも大きくなっている。
筐体１０７は、画像読取センサ１０３、開閉センサ１０６、１１２、および原稿サイズ検知センサ１１０、１１１等を覆うものである。
【００２２】
図１は実施例における原稿サイズ検知装置の制御構成を示すブロック図である。
図１において、原稿サイズ検知装置１２０は、画像読取センサ１０３と、開閉センサ１０６、１１２と、原稿サイズ検知センサ１１０、１１１と、センサ値記憶部１１４と、原稿サイズ検知制御部１１５と、センサ電源供給部１１６とを有している。
なお、原稿サイズ検知装置１２０は、図２および図３に示す画像読取装置１００に備えられるものである。また、画像読取センサ１０３、開閉センサ１０６、１１２、および原稿サイズ検知センサ１１０、１１１の説明は、上述したので省略する。
【００２３】
センサ電源供給部１１６は、原稿サイズ検知センサ１１０および原稿サイズ検知センサ１１１に電源を供給するものである。
記憶部としてのセンサ値記憶部１１４は、原稿サイズ検知センサ１１０および原稿サイズ検知センサ１１１の出力結果を数値として記憶するメモリ等である。
制御部としての原稿サイズ検知制御部１１５は、画像読取センサ１０３、センサ電源供給部１１６、およびセンサ値記憶部１１４を制御して図２および図３に示す原稿台１０２に載置された原稿１０１のサイズを検知する制御を行うものである。
【００２４】
本実施例では、原稿サイズ検知制御部１１５は、開閉センサ１０６で図２に示す原稿圧板１０４の閉を検知するとセンサ電源供給部１１６により原稿サイズ検知センサ１１０、１１１への給電を開始し、原稿サイズ検知センサ１１０、１１１の検知結果をセンサ値記憶部１１４に記憶するとセンサ電源供給部１１６により原稿サイズ検知センサ１１０、１１１への給電を停止する。
また、原稿サイズ検知制御部１１５は、ＣＰＵ（Ｃｅｎｔｒａｌ  Ｐｒｏｃｅｓｓｉｎｇ  Ｕｎｉｔ）等の制御手段およびメモリ等の記憶手段を有し、記憶手段に記憶された制御プログラム（ソフトウェア）に基づいて原稿サイズ検知装置１２０全体の動作を制御する。
【００２５】
上述した構成の作用について説明する。
まず、原稿サイズ検知装置が行う原稿サイズ検知処理を図４の実施例における原稿サイズ検知処理の流れを示すフローチャートの図中Ｓで表すステップに従って図１、図２および図３を参照しながら説明する。
原稿サイズ検知装置１２０の原稿サイズ検知制御部１１５は、電源が投入されると原稿サイズ検知処理を開始する。
【００２６】
Ｓ１：原稿サイズ検知制御部１１５は、開閉センサ１０６の状態を監視し、原稿圧板１０４が開状態になったことを検知すると処理をＳ２へ移行する。
原稿サイズ検知制御部１１５は、利用者の操作により原稿圧板１０４が開けられたことを開閉センサ１０６で検知する。利用者は、原稿圧板１０４を開状態として原稿の一頂点を原稿合わせマーク１０９に合わせて原稿台１０２に載置するものとする。
【００２７】
Ｓ２：原稿サイズ検知制御部１１５は、開閉センサ１０６の状態を監視し、原稿圧板１０４が閉状態になるまで待機し、原稿圧板１０４が閉状態になったことを検知すると処理をＳ３へ移行する。
原稿を原稿台１０２に載置した利用者は、原稿圧板１０４を閉じるものとする。
Ｓ３：原稿サイズ検知制御部１１５は、原稿圧板１０４が閉状態になったことを検知すると、センサ電源供給部１１６に原稿サイズ検知センサ１１０および原稿サイズ検知センサ１１１へのセンサ電源供給開始を指示する。センサ電源供給部１１６は、原稿サイズ検知制御部１１５からの指示に従い、原稿サイズ検知センサ１１０および原稿サイズ検知センサ１１１への電源供給を開始する。
【００２８】
Ｓ４：原稿サイズ検知制御部１１５は、電源供給された原稿サイズ検知センサ１１０および原稿サイズ検知センサ１１１が立ち上がるまで（起動するまで）の予め決定された所定の時間が経過するまで待機する。
Ｓ５：原稿サイズ検知制御部１１５は、所定の時間が経過したことを検知すると、センサ値記憶部１１４に原稿サイズ検知センサ１１０および原稿サイズ検知センサ１１１の出力値の記憶を指示する。センサ値記憶部１１４は、原稿サイズ検知制御部１１５からの指示に従い、原稿サイズ検知センサ１１０および原稿サイズ検知センサ１１１からの出力値を記憶する。
【００２９】
Ｓ６：センサ値記憶部１１４は、原稿サイズ検知センサ１１０および原稿サイズ検知センサ１１１からの出力値を記憶すると、原稿サイズ検知制御部１１５にセンサ出力値の記憶完了の信号を通知する。原稿サイズ検知制御部１１５は、センサ値記憶部１１４からの記憶完了の信号を受けると、センサ電源供給部１１６に原稿サイズ検知センサ１１０および原稿サイズ検知センサ１１１へのセンサ電源供給停止を指示する。
【００３０】
Ｓ７：原稿サイズ検知制御部１１５は、開閉センサ１１２の状態を監視し、利用者の操作によりさらに原稿圧板１０４が閉じられ、原稿圧板１０４が閉状態になったことを検知すると処理をＳ９へ移行し、一方、開状態の場合は処理をＳ８へ移行する。
Ｓ８：原稿圧板１０４が開状態の場合、原稿サイズ検知制御部１１５は、開閉センサ１０６の状態を確認し、原稿圧板１０４が閉状態の場合、処理をＳ７へ移行し、原稿圧板１０４が開状態の場合、処理をＳ２へ移行する。
【００３１】
Ｓ９：原稿サイズ検知制御部１１５は、開閉センサ１１２により、原稿圧板１０４が閉状態になったことを検知すると、画像読取センサ１０３を動作させ、図３における主走査方向の原稿サイズを検知する主走査方向原稿サイズ検知処理を行う。
Ｓ１０：原稿サイズ検知制御部１１５は、主走査方向原稿サイズ検知処理を完了すると、センサ値記憶部１１４に記憶された原稿サイズ検知センサ１１０および原稿サイズ検知センサ１１１からの出力値と、画像読取センサ１０３により検知した主走査方向の原稿サイズとに基づいて原稿台１０２に載置された原稿１０１のサイズを判定する原稿サイズ判定処理を行い、本処理を終了する。なお、原稿サイズ判定処理の詳細は後述する。
【００３２】
次に、上述した開閉センサ１０６の開閉状態の切り替わり位置について図１および図２に基づいて説明する。開閉センサ１０６で原稿圧板１０４の閉状態を検知する位置は、原稿サイズ検知制御部１１５の制御によりセンサ値記憶部１１４が原稿サイズ検知センサ１１０および原稿サイズ検知センサ１１１からの出力値を記憶できる時間を確保するように設定されなければならない。
本実施例では、開閉センサ１０６は、原稿サイズ検知センサ１１０が配置された位置における原稿台１０２と原稿圧板１０４との距離が所定の距離（Ｄ３）以下になったとき、原稿圧板１０４の閉を検知するようにしている。
【００３３】
以下に、開閉センサ１０６で原稿圧板１０４の閉状態を検知する位置について説明する。
図２において、距離Ｄ１は、原稿サイズ検知センサ１１０の上方において、原稿サイズ検知センサ１１０で原稿台１０２に載置された原稿１０１の有無を検知することができる原稿台１０２と原稿圧板１０４との最短距離である。
【００３４】
原稿サイズ検知センサ１１０および原稿サイズ検知センサ１１１は、発光素子から発せられた光を原稿に照射し、その反射光を受光素子で検知して原稿の有無を検知するようにしている。したがって、原稿サイズ検知センサ１１０の上方において、原稿台１０２と原稿圧板１０４との距離がＤ１より小さくなった場合、原稿圧板１０４に照射された光の反射光により、正しく原稿の有無が検知できなくなってしまう。
【００３５】
そのため、原稿サイズ検知センサ１１０の上方において、原稿台１０２と原稿圧板１０４との距離がＤ１以上のときの原稿サイズ検知センサ１１０の出力値を使用しなければならない。距離Ｄ１は、原稿サイズ検知センサ１１０の発光素子や受光素子の仕様により決定されるものであるが、本実施例では、距離Ｄ１を６０ｍｍとした。
【００３６】
また、距離Ｄ２は、開閉センサ１０６が原稿圧板１０４の閉状態を検知し、原稿サイズ検知センサ１１０および原稿サイズ検知センサ１１１への給電を開始してからセンサ値記憶部１１４が原稿サイズ検知センサ１１０および原稿サイズ検知センサ１１１の出力値を記憶するまでの時間に、原稿サイズ検知センサ１１０の上方において、原稿圧板１０４が使用者の操作により移動可能な距離である。
ここで、開閉センサ１０６の開閉状態と原稿サイズ検知センサ１１０、１１１に電源が供給されて起動するまでの時間を図５に示すタイムチャートに基づいて図１を参照しながら説明する。
【００３７】
図５において、Ｔ１は、開閉センサ１０６が開状態になってから原稿サイズ検知制御部１１５がセンサ電源供給部１１６に原稿サイズ検知センサ１１０および原稿サイズ検知センサ１１１への電源供給開始を指示し、原稿サイズ検知センサ１１０および原稿サイズ検知センサ１１１の電源がＯＮ（投入）されるまでのファームウェア処理時間である。本実施例では、時間Ｔ１を１０ｍｓとする。
【００３８】
Ｔ２は、原稿サイズ検知センサ１１０および原稿サイズ検知センサ１１１の起動時間である。この時間Ｔ２は、原稿サイズ検知センサ１１０および原稿サイズ検知センサ１１１の仕様により決定されるものであるが、一般的に１ｍｓ程度である。本実施例では時間Ｔ２を１ｍｓとする。
【００３９】
Ｔ３は、時間Ｔ２が経過した後、原稿サイズ検知制御部１１５がセンサ値記憶部１１４に原稿サイズ検知センサ１１０および原稿サイズ検知センサ１１１の出力値の記憶を指示し、原稿サイズ検知センサ１１０および原稿サイズ検知センサ１１１の出力値がセンサ値記憶部１１４に記憶されるまでのファームウェア処理時間である。本実施例では、時間Ｔ３を１０ｍｓとする。
【００４０】
時間Ｔ４は、時間Ｔ１、時間Ｔ２、時間Ｔ３の合計時間である。本実施例では、時間Ｔ４＝１０ｍｓ＋１ｍｓ＋１０ｍｓ＝２１ｍｓとする。
一方、原稿圧板１０４を使用者が閉じる速度は、原稿サイズ検知センサ１１０の上方において、速くても０．６６ｍ／ｓであることが、実験結果から分かっている。したがって、時間Ｔ４＝２１ｍｓで原稿圧板１０４が移動する距離は１３．８６ｍｍである。
【００４１】
図２の説明に戻り、時間Ｔ４＝２１ｍｓで原稿圧板１０４が移動する距離は１３．８６ｍｍであることから、本実施例では、距離Ｄ２を１５ｍｍとする。また、距離Ｄ３は距離Ｄ１＋距離Ｄ２であるので、本実施例では、距離Ｄ３は７５ｍｍである。
センサフラグ１０５は、原稿サイズ検知センサ１１０の上方において、原稿台１０２と原稿圧板１０４との距離が距離Ｄ３（＝７５ｍｍ）になったときに、開閉センサ１０６の出力が閉状態となるように構成されている。
【００４２】
すなわち、開閉センサ１０６で原稿圧板１０４の閉状態を検知してから原稿サイズ検知センサ１１０および原稿サイズ検知センサ１１１の出力値がセンサ値記憶部１１４に記憶されるまでの時間Ｔ４が経過するまでの間に、原稿サイズ検知センサ１１０の上方において、原稿圧板１０４が原稿台１０２に向かって進む速度をＡ（ｍ／ｓ＝ｍｍ／ｍｓ）とした場合、距離Ｄ２（ｍｍ）は、速度Ａ（ｍｍ／ｍｓ）×時間Ｔ４（ｍｓ）以上でなければならない。
【００４３】
さらに、原稿サイズ検知センサ１１０および原稿サイズ検知センサ１１１の使用により決定される距離Ｄ１と上述の距離Ｄ２の合計距離を距離Ｄ３とすると、開閉センサ１０６は、原稿サイズ検知センサ１１０の上方において、原稿台１０２と原稿圧板１０４との距離が距離Ｄ３となったときに、原稿圧板１０４の開状態と閉状態とが切り替わるように構成される。
また、回転軸１０４ａとの距離が原稿サイズ検知センサ１１０よりも大きい原稿サイズ検知センサ１１１の上方においても、時間Ｔ４以上を確保することができるため、原稿サイズ検知センサ１１１の出力で原稿の有無を検知できる。
【００４４】
すなわち、複数の原稿サイズ検知センサを備えた場合、回転軸１０４ａとの距離が最短の原稿サイズ検知センサの上方において、距離Ｄ３を確保し、時間Ｔ４以上を確保することにより、すべての原稿サイズ検知センサの出力で原稿の有無を検知できるようになる。
したがって、回転軸１０４ａとの距離が原稿サイズ検知センサ１１０より小さくなるように原稿サイズ検知センサ１１１を配置した場合、原稿サイズ検知センサ１１１の上方において時間Ｔ４以上を確保することにより、原稿サイズ検知センサ１１０および原稿サイズ検知センサ１１１の出力で原稿の有無を検知できるようになる。
【００４５】
このように開閉センサ１０６を構成することにより、原稿サイズ検知センサ１１０および原稿サイズ検知センサ１１１の上方では、開閉センサ１０６で原稿圧板１０４の閉状態を検知してから原稿サイズ検知センサ１１０および原稿サイズ検知センサ１１１の出力値がセンサ値記憶部１１４に記憶されるまでの時間がＴ４以上となるため、原稿サイズ検知センサ１１０および原稿サイズ検知センサ１１１の出力で原稿の有無を検知できる。
次に、原稿サイズ検知制御部１１５が行う原稿サイズ判定処理を図６および図７に基づいて図１を参照しながら説明する。なお、この原稿サイズ判定処理は図４のＳ１０において行われる処理である。
【００４６】
まず、原稿サイズ検知制御部１１５は、画像読取センサ１０３を使用して図６における検出エリア１、検出エリア２、検出エリア３に原稿台１０２に載置された原稿の端部が存在するか否か（有無）を判別し、主走査方向の原稿サイズを検知する主走査方向原稿サイズ検知処理を行う。（図４のＳ９において行われる主走査方向原稿サイズ検知処理）
次に、原稿サイズ検知制御部１１５は、主走査方向原稿サイズ検出処理の結果である主走査方向の原稿サイズと、センサ値記憶部１１４に記憶された原稿サイズ検知センサ１１０および原稿サイズ検知センサ１１１からの出力値とに基づいて原稿サイズ判定処理を行う。
【００４７】
原稿サイズ検知制御部１１５は、主走査方向の原稿サイズと、原稿サイズ検知センサ１１０および原稿サイズ検知センサ１１１からの出力値とに基づいて図７に示す判定表７０を参照し、原稿サイズを判定する。
図７に示す判定表７０は、主走査方向原稿サイズ検知処理結果７１、原稿サイズ検知センサ出力値７２、および判定される原稿サイズ７３により構成された表である。
主走査方向原稿サイズ検知処理結果７１は、上述した主走査方向原稿サイズ検知処理の結果であり、図６に示す検出エリア１、検出エリア２、検出エリア３における原稿端の有無である。
【００４８】
原稿サイズ検知センサ出力値７２は、センサ値記憶部１１４に記憶された原稿サイズ検知センサ１１０および原稿サイズ検知センサ１１１からの出力値であり、原稿サイズ検知センサ１１０および原稿サイズ検知センサ１１１で検知した原稿有無である。
判定される原稿サイズ７３は、主走査方向原稿サイズ検知処理結果７１の原稿端有無と、原稿サイズ検知センサ出力値７２の原稿有無とに対応させた原稿サイズである。
原稿サイズ検知制御部１１５は、主走査方向原稿サイズ検知処理結果７１の原稿端有無と、原稿サイズ検知センサ出力値７２の原稿有無とに基づいて原稿サイズを判定する。
【００４９】
例えば、図８に示すように、Ａ４サイズの原稿を短手方向が主走査方向、長手方向が副走査方向となるように原稿合わせマーク１０９に合わせて原稿台１０２に載置した場合、主走査方向原稿サイズ検知処理結果として検出エリア２において原稿の端部が検知され、また原稿サイズ検知センサ１１０で原稿有り、原稿サイズ検知センサ１１１で原稿無しが検知されるため、図７に示す判定表７０から原稿サイズは「Ａ４Ｒ」と判定される。
【００５０】
このように、原稿サイズ検知装置１２０に原稿圧板１０４が閉められる状態を開閉センサ１０６で検知すると、原稿サイズ検知センサ１１０、１１１の電源を供給し、原稿サイズ検知センサ１１０、１１１の出力値を記憶した後、原稿サイズ検知センサ１１０、１１１の電源の供給を停止する原稿サイズ検知制御部１１５を設けたことにより、原稿サイズ検知センサ１１０、１１１で消費される電力を最小限に抑えることができる。
また、原稿サイズ検知センサ１１０、１１１の寿命を延ばすことができる。
【００５１】
以上説明したように、本実施例では、原稿圧板が閉められる状態を開閉センサで検知すると、原稿サイズ検知センサの電源を供給し、原稿サイズ検知センサの出力値を記憶した後、原稿サイズ検知センサの電源の供給を停止する制御部を設けたことにより、原稿サイズ検知センサで消費される電力を最小限に抑えることができるという効果が得られる。
また、原稿サイズ検知センサの寿命を延ばすことができるという効果が得られる。
なお、本実施例では、画像読取装置をスキャナ装置として説明したが、それに限られることなく、画像読み取り機能を有するものであれば複写機、ファクシミリ装置、複合機（ＭＦＰ）等としても良い。
【符号の説明】
【００５２】
１００  画像読取装置
１０２  原稿台
１０３  画像読取センサ
１０４  原稿圧板
１０５、１１３  センサフラグ
１０６、１１２  開閉センサ
１０９  原稿合わせマーク
１１０、１１１  原稿サイズ検知センサ
１１４  センサ値記憶部
１１５  原稿サイズ検知制御部
１１６  センサ電源供給部
１２０  原稿サイズ検知装置
【図１】
0006549929.tif 000002
【図２】
0006549929.tif 000003
【図３】
0006549929.tif 000004
【図４】
0006549929.tif 000005
【図５】
0006549929.tif 000006
【図６】
0006549929.tif 000007
【図７】
0006549929.tif 000008
【図８】
0006549929.tif 000009